(57)【要約】【課題】発光装置を確実に係止する。【解決手段】撮像装置は、異物を排出する排出口を有する収納部と、収納部に収納された収納位置と収納位置から突出した突出位置との間を移動可能であって、被写体を照明する発光部と、収納部に設けられ、係止爪を用いて収納位置に位置する発光部を係止する係止部と、を備え、発光部は、収納位置に位置するときに係止爪が挿入される係止穴を有し、係止穴は、係止爪が挿入される第１開口部と、係止穴に入った異物を排出する第２開口部との間を貫通している。【選択図】図２
2015045806.tif 000002
【特許請求の範囲】
【請求項１】
異物を排出する排出口を有する収納部と、
前記収納部に収納された収納位置と前記収納位置から突出した突出位置との間を移動可能であって、被写体を照明する発光部と、
前記収納部に設けられ、係止爪を用いて前記収納位置に位置する前記発光部を係止する係止部と、
を備え、
前記発光部は、前記収納位置に位置するときに前記係止爪が挿入される係止穴を有し、
前記係止穴は、前記係止爪が挿入される第１開口部と、前記係止穴に入った前記異物を排出する第２開口部との間を貫通していることを特徴とする撮像装置。
【請求項２】
請求項１に記載の撮像装置において、
前記係止部は、前記係止爪と、前記係止爪を支持する支持部と、前記係止爪の挿入方向に前記支持部を付勢する付勢部とを有し、
前記支持部は、前記支持部と前記発光部の側面との間の前記異物を排出する第１の貫通穴を前記挿入方向に平行に有することを特徴とする撮像装置。
【請求項３】
請求項１または２に記載の撮像装置において、
前記第１開口部は、前記発光部の側面に設けられ、
前記第２開口部は、前記発光部の底面に設けられ、
前記第２開口部の径は、前記第１開口部の径よりも大きいことを特徴とする撮像装置。
【請求項４】
請求項３に記載の撮像装置において、
駆動軸を介して前記支持部に接続され、前記駆動軸を前記挿入方向に駆動する駆動部をさらに備え、
前記駆動軸は、前記支持部と前記発光部の底面との間から前記異物を排出する第２の貫通穴を有することを特徴とする撮像装置。
【請求項５】
請求項４に記載の撮像装置において、
前記第２の貫通穴は、前記発光部が前記収納位置で係止されているとき、前記第２開口部の下に位置することを特徴とする撮像装置。
【発明の詳細な説明】
【技術分野】
【０００１】
本発明は、撮像装置に関する。
【背景技術】
【０００２】
カメラ本体に収納された収納位置と、収納位置から上方向に突出した突出位置との間を移動可能なフラッシュなどの発光装置を有するカメラが知られている（特許文献１）。特許文献１では、発光装置の外装部に係止穴を設け、係止穴に係止爪を係合させることにより、発光装置を係止させている。
【先行技術文献】
【特許文献】
【０００３】
【特許文献１】特開２００９−８６２２６号公報
【発明の概要】
【発明が解決しようとする課題】
【０００４】
特許文献１のように、係止穴と係止爪とを用いて発光装置を係止する撮像装置では、係止穴が水やごみでつまり、係止爪が係止穴に挿入されることが妨げられて、発光装置が係止できなくなることがある。
【課題を解決するための手段】
【０００５】
本発明による撮像装置は、異物を排出する排出口を有する収納部と、収納部に収納された収納位置と収納位置から突出した突出位置との間を移動可能であって、被写体を照明する発光部と、収納部に設けられ、係止爪を用いて収納位置に位置する発光部を係止する係止部と、を備え、発光部は、収納位置に位置するときに係止爪が挿入される係止穴を有し、係止穴は、係止爪が挿入される第１開口部と、係止穴に入った異物を排出する第２開口部との間を貫通していることを特徴とする。
【発明の効果】
【０００６】
係止穴を貫通させて、異物が排出されるようにしたため、フラッシュなどの発光装置を確実に係止することができる。
【図面の簡単な説明】
【０００７】
【図１】本発明の一実施の形態による撮像装置の概略正面図である。
【図２】発光部を係止する係止機構の拡大図である。
【図３】発光部を係止する係止機構の拡大図である。
【発明を実施するための形態】
【０００８】
図１は、本発明の一実施の形態による撮像装置の概略正面図である。
図１に例示される撮像装置は、水密構造を有するデジタルカメラ１であって、その上面に被写体を照明するフラッシュ１１を備える。フラッシュ１１は、非発光時にはデジタルカメラ１の上面に凹設される収納部１２に収納され（収納位置）、発光時には収納部１２から上方向に突出する（突出位置）。以降、発光時にフラッシュ１１が収納位置から突出位置まで移動することをポップアップと呼ぶ。
【０００９】
フラッシュ１１は、不図示のバネ等により上方向に付勢されている。非発光時には、フラッシュ１１は、そのバネの付勢力でポップアップしないように係止機構（図１には不図示）により収納位置で係止されている。デジタルカメラ１に設けられたロック解除スイッチ１３が操作された場合など、係止機構によるフラッシュ１１の係止が解除されると、バネの付勢力によりフラッシュ１１が突出位置までポップアップする。
【００１０】
収納部１２の底面には、収納部１２に浸入した水やごみなどの異物をデジタルカメラ１の外部に排出するための排出口１４が設けられている。図１では、排出口１４は、収納部１２の底面からデジタルカメラ１の底面に向けて延ばされているが、収納部１２の底面からデジタルカメラ１の側面に向けて延ばすことにしてもよいし、収納部１２の底面近傍の側面に設けることにしてもよい。
【００１１】
図２（ａ）は、フラッシュ１１が収納部１２に収納されている状態を示す概略断面図である。なお、図２（ａ）以降の図面では、図面の簡略化のため、フラッシュ１１を支持する支持部の図示を省略している。図２（ａ）では、フラッシュ１１の底面と収納部１２の底面との間に係止機構１５が設けられている。
【００１２】
係止機構１５は、係止爪１５ａと、係止爪１５ａを支持する支持部１５ｂと、先端に支持部１５ｂが設けられた駆動軸１５ｃと、係止機構１５を図面左側に付勢するバネ１６が接続される鍔部１５ｄとを有する。
【００１３】
フラッシュ１１は、側面と底面にそれぞれ開口部を有し、それら二つの開口部間を貫通している係止穴１１ａを有する。図２（ａ）では、バネ１６により付勢された係止爪１５ａが係止穴１１ａの側面側の開口部（第１開口部１１ｂ）に挿入されており、フラッシュ１１が収納位置で係止されている。
【００１４】
従来の撮像装置では、発光装置は、係止爪が挿入される側にのみ開口部を設けた穴を用いていた。しかし、従来の係止用の穴に異物が付着すると、異物の逃げ場がないため、係止爪１５ａを穴に挿入することができなかった。本発明の係止穴１１ａでは、フラッシュ１１の底面側にも開口部（第２開口部１１ｃ）を有するため、バネ１６により付勢された係止爪１５ａにより異物をフラッシュ１１の底面側に移動させて、排出することができる。
【００１５】
なお、係止穴１１ａの底面側の第２開口部１１ｃの大きさは、係止穴１１ａの側面側の第１開口部１１ｂよりも大きいことが好ましい。このようにすることで、係止爪１５ａにより移動した異物が係止穴１１ａの中に残留することを抑制することができる。
【００１６】
駆動軸１５ｃの一端には支持部１５ｂが設けられ、他端には駆動部１７が接続されている。駆動部１７は、たとえば、プッシュソレノイドなどで構成され、通電時には駆動軸１５ｃをバネ１６の付勢力に抗して図面右方向に駆動する。駆動部１７は、収納部１２に浸入した水等からＯリング１８等を用いて保護されている。
【００１７】
たとえば、ユーザが図１のロック解除スイッチ１３を操作すると、駆動部１７が通電状態となり、駆動軸１５ｃを図２（ａ）の図面右方向に駆動する。駆動軸１５ｃの駆動により、鍔部１５ｄがバネ１６を圧縮すると共に、係止爪１５ａが係止穴１１ａから抜きとられる。係止爪１５ａが係止穴１１ａから抜かれると、フラッシュ１１は、係止が解除されて、図２（ｂ）に示すように発光位置にポップアップする。
【００１８】
フラッシュ１１がポップアップすると、駆動部１７への通電が中止される。係止機構１５は、バネ１６の付勢力により図面左方向に戻されて、図３に示す状態となる。図３は、フラッシュ１１が突出位置に位置する状態を示す概略断面図である。
【００１９】
図３に示す状態からユーザがフラッシュ１１を図面下方向に押すと、フラッシュ１１の底面が係止爪１５ａの傾斜部１５ｅに接触する。ユーザがフラッシュ１１をさらに図面下方向に押すと、係止機構１５が傾斜部１５ｅに沿って図面右側に移動する。フラッシュ１１の係止穴１１ａが係止爪１５ａの先端の高さに到達すると、バネ１６の付勢力により係止爪１５ａが係止穴１１ａに挿入される。
【００２０】
係止機構１５の支持部１５ｂとフラッシュ１１の側面との間、たとえば係止爪１５ａの下に異物が付着していると、付着物に引っ掛かり、フラッシュ１１の係止穴１１ａを係止爪１５ａの先端の高さまで下げられないことがある。すなわち、フラッシュ１１を収納位置で係止させることができないことがある。本実施の形態では、図２（ａ）、（ｂ）および図３に示すように、支持部１５ｂにも第１貫通穴１５ｆを設けることにより、支持部１５ｂとフラッシュ１１の側面との間に付着した異物を排出することができる。排出された異物は、収納部１２の底面に設けられた排出口１４からさらにデジタルカメラ１の外部へ排出される。
【００２１】
また、係止機構１５の駆動軸１５ｃとフラッシュ１１の底面との間に異物が付着している場合にも、付着物に引っ掛かり、フラッシュ１１の係止穴１１ａを係止爪１５ａの先端の高さまで下げられないことがある。すなわち、フラッシュ１１を収納位置で係止させることができないことがある。本実施の形態では、図２（ａ）、（ｂ）および図３に示すように、駆動軸１５ｃにも第２貫通穴１５ｇを設ける。駆動軸１５ｃに第２貫通穴１５ｇを設けることにより、支持部１５ｂとフラッシュ１１の底面との間に付着した異物を収納部１２の底面に排出することができる。排出された異物は、収納部１２の底面に設けられた排出口１４からさらにデジタルカメラ１の外部へ排出される。なお、第２貫通穴１５ｇは、係止機構１５が収納位置でフラッシュ１１を係止しているときに、係止穴１１ａの底面側の開口部の下に位置するように設けることが好ましい。このようにすることで、係止穴１１ａから排出された異物が係止機構１５の駆動軸１５ｃに蓄積することが抑制される。
【００２２】
デジタルカメラ１によるフラッシュ１１を用いた撮影動作について説明する。デジタルカメラ１の非使用時には、フラッシュ１１は、収納部１２に収納されており、係止機構１５により収納位置で係止されている。
【００２３】
ユーザがロック解除スイッチ１３を操作すると、駆動部１７が通電されて、フラッシュ１１の係止が解除される。係止が解除されたフラッシュ１１は、収納位置から突出位置までポップアップする。駆動部１７へ通電してから所定時間が経過されると、駆動部１７への通電が中止されて、フラッシュ１１を係止していたときの位置まで係止機構１５がバネ１６により戻される。
【００２４】
ユーザが不図示のレリーズスイッチ等を用いて撮影指示を行うと、フラッシュ１１により被写体が照明され、被写体像が撮像される。撮影を終えたユーザは、収納部１２に向けてフラッシュ１１を押し込む。フラッシュ１１の底面が係止爪１５ａの傾斜部１５ｅに接触すると、フラッシュ１１により係止機構１５が傾斜部１５ｅに沿って押しのけられる。フラッシュ１１の係止穴１１ａの高さが係止爪１５ａの先端に到達すると、バネ１６の付勢力により係止爪１５ａが係止穴１１ａの第１開口部１１ｂに挿入される。これにより、フラッシュ１１が係止機構１５により再び係止される。
【００２５】
係止穴１１ａに付着した異物は、係止爪１５ａにより係止穴１１ａの奥へ押し出される。係止穴１１ａの奥へ押し込まれた異物は、第２開口部１１ｃから排出される。第２開口部１１ｃから排出された異物は、第２貫通穴１５ｇを介して収納部１２の底面へ排出される。
【００２６】
また、係止機構１５の支持部１５ｂとフラッシュ１１の側面との間に付着した異物は、フラッシュ１１の側面により係止機構１５の第１開口部１１ｂへ押し出される。第１開口部１１ｂへ押し出された異物は、収納部１２の底面へ排出される。
【００２７】
第１貫通穴１５ｆおよび第２貫通穴１５ｇを介して収納部１２の底面へ排出された異物は、収納部１２の底面に設けられた排出口１４からデジタルカメラ１の外部へ排出される。
【００２８】
以上で説明した実施の形態によれば、以下の作用効果が得られる。
デジタルカメラ１は、異物を排出する排出口１４を有する収納部１２と、収納部１２に収納された収納位置と前記収納位置から突出した突出位置との間を移動可能であって、被写体を照明するフラッシュ１１と、収納部１２に設けられ、係止爪１５ａを用いて収納位置に位置するフラッシュ１１を係止する係止機構１５と、を備え、フラッシュ１１は、収納位置に位置するときに係止爪１５ａが挿入される係止穴１１ａを有し、係止穴１１ａは、係止爪１５ａが挿入される側面側の第１開口部１１ｂと、係止穴１１ａに入った異物を排出する底面側の第２開口部１１ｃとの間を貫通している。このように係止穴１１ａを貫通させて、異物が排出されるようにしたため、フラッシュ１１を確実に係止することができる。特に、水中撮影時、悪天候時など、フラッシュ１１の収納部１２に水やごみなどの異物が浸入しやすい環境において本発明は効果的である。
【００２９】
以上で説明した実施形態は、以下のように変形して実施できる。
（変形例１）上記の実施の形態では、係止機構１５をバネ１６で図２（ａ）左方向に付勢して、駆動部１７が通電状態となったときに図２（ａ）右方向に駆動軸１５ｃを駆動することとした。しかし、係止機構１５をフラッシュ１１に係止させ、解除させるための機構は、この方法だけに限定されない。係止爪１５ａを係止穴１１ａに挿入させてフラッシュ１１を係止させるものであれば、係止爪１５ａの駆動方法は他の方法でもよい。たとえば、収納部１２の底面に回転中心を設けて支持部１５ｂと係止爪１５ａを回動させて係止穴１１ａに挿入することにしてもよい。
【００３０】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００３１】
１：デジタルカメラ、１１：フラッシュ、１１ａ：係止穴、１１ｂ：第１開口部、１１ｃ：第２開口部、１２：収納部、１３：ロック解除スイッチ、１４：排出口、１５：係止機構、１５ａ：係止爪、１５ｂ：支持部、１５ｆ：第１貫通穴、１５ｇ：第２貫通穴
【図１】
2015045806.tif 000003
【図２】
2015045806.tif 000004
【図３】
2015045806.tif 000005